(57)【要約】【課題】安価で簡易な構造によって、局部洗浄ユニットなどを収納配備したボウル部後方へ汚水やほこりなどが入り込むことを防止でき、かつ見栄えをよくした洋風便器装置を提供する。【解決手段】局部洗浄ノズル２１を少なくとも設けた局部洗浄ユニット１０を、ボウル部１後方に収納配備して、局部洗浄ノズル２１を、洗浄操作に応じて、ボウル部１の周壁３ｅに形成した開口部３ｆよりボウル部内空間Ｓに出し入れする構造とした洋風便器装置であって、上端を枢支した開閉蓋２５を開口部３ｅに対応して設け、開閉蓋２５は局部洗浄ノズル２１の出し入れ動作に応じて回動して、開口部３ｆを開閉させる構造としている。【選択図】図１
2008095460.tif 000002
【特許請求の範囲】
【請求項１】
局部洗浄ノズルを少なくとも設けた局部洗浄ユニットを、ボウル部後方に収納配備して、上記局部洗浄ノズルを、洗浄操作に応じて、ボウル部の周壁に形成した開口部よりボウル部内空間に出し入れする構造とした洋風便器装置であって、
上端を枢支した開閉蓋を、上記開口部に対応して設け、
上記開閉蓋は、上記局部洗浄ノズルの出し入れ動作に応じて回動して、上記開口部を開閉させる構造としたことを特徴とする洋風便器装置。
【請求項２】
請求項１において、
上記開閉蓋は、上記局部洗浄ユニットに設けたノズルガイド筒に軸支され、上記開口部に合致させて配設されていることを特徴とする洋風便器装置。
【請求項３】
請求項１、２のいずれか１項において、
上記ボウル部は、ボウル本体とリム部とを備えており、
上記開口部は該リム部に開設されていることを特徴とする洋風便器装置。
【請求項４】
請求項２、３のいずれか１項において、
上記開閉蓋は、その閉状態では、上記ボウル部の周壁の一部を形成する構造にしていることを特徴とする洋風便器装置。
【請求項５】
請求項１において、
上記開閉蓋は、上記開口部の上端縁に枢支した構造にしていることを特徴とする洋風便器装置。
【請求項６】
請求項１〜５のいずれか１項において、
上記局部洗浄ユニットは、更に乾燥用送風筒を設け、その送風筒より、ボウル部の周壁に設けた送風口部を通じてボウル部内空間に乾燥風を送り込む構造になっており、
上記送風筒側あるいは上記ボウル部の周壁側に、送風によって回動して、上記送風口部を開閉させる開閉蓋を更に設けた構造にしていることを特徴とする洋風便器装置。
【請求項７】
請求項６において、
上記送風口部用の開閉蓋は、上記送風口部の上端縁に枢支した構造にしていることを特徴とする洋風便器装置。
【発明の詳細な説明】
【技術分野】
【０００１】
本発明は、局部洗浄ノズルを、洗浄操作に応じて、ボウル部の周壁に形成した開口部よりボウル部内空間に出し入れする構造とした洋風便器装置に関するものである。
【背景技術】
【０００２】
従来より、洋風便器のボウル部後方に、伸張・収縮自在な局部洗浄ノズルを備えた局部洗浄装置を設置し、局部洗浄装置に局部洗浄ノズルを出し入れするノズル出し入れ部を設け、ノズル出し入れ部からボウル部内方へ局部洗浄ノズルを伸張させて、局部洗浄ノズルの先端部から人体の局部に向けて噴流水を噴出させて局部洗浄を行うようにした洋風便器装置が知られている（例えば特許文献１参照）。
【０００３】
このような局部洗浄装置を有した便器装置としては、例えば図８に示すように、局部洗浄装置のノズル出し入れ部１０１の下面開口１０４を、ボウル部１０３のリム１０５よりもボウル部１０３の内方Ｅに張り出すようにして設置し、このノズル出し入れ部１０１の下面開口１０４から局部洗浄ノズル１０２を伸張させるものが一般的である。なお図８中、１０６は便座を示している。
【特許文献１】特開２００２−２１３００４号公報
【発明の開示】
【発明が解決しようとする課題】
【０００４】
ところが、従来のようにノズル出し入れ部１０１の下面開口１０４をボウル部１０３の内方Ｅに張り出して設置した場合、下面開口１０４がボウル部１０３内の溜め水に面して配置されることになり、そのため溜め水からの跳ね水によってノズル出し入れ部１０１の下面開口１０４に汚れが直接付着しやすくなる。それにもかかわらず、ノズル出し入れ部１０１の下面開口１０４は使用者の視認しにくい場所であるため、汚れがそのまま放置されるおそれがある。
【０００５】
しかもノズル出し入れ部１０１の下面開口１０４より入り込んだ跳ね水やほこりなどが、ボウル部１０３の後方に配置された種々の機器、部材に付着するおそれもあり、それらの機器、部材の故障、劣化の原因ともなり得る。
【０００６】
本発明は、上記の事情を考慮して提案されたもので、その目的は、安価で簡易な構造によって、局部洗浄ユニットや種々の機器、部材を収納配備したボウル部後方へ汚水やほこりなどが入り込むことを防止でき、かつ見栄えをよくした洋風便器装置を提供することにある。
【０００７】
なお、本発明と同一出願人は、ボウル部内方とボウル部後方とをより確実に遮断する手段として、ノズル出し入れ用の開口に、バネやソレノイドなどの部材を使用した開閉自在な蓋を設け、ノズルを伸張するときのみ蓋を開き、ノズルを使用しないときには蓋を閉じた状態に維持できるようにすることを試行しているが、本発明では、ソレノイドなどの機器を使用しない、より安価で簡易な構造のものを提案している。
【課題を解決するための手段】
【０００８】
上記目的を達成するために、請求項１に記載の記載の洋風便器装置は、局部洗浄ノズルを少なくとも設けた局部洗浄ユニットを、ボウル部後方に収納配備して、局部洗浄ノズルを、洗浄操作に応じて、ボウル部の周壁に形成した開口部よりボウル部内空間に出し入れする構造とした洋風便器装置であって、上端を枢支した開閉蓋を開口部に対応して設け、開閉蓋は局部洗浄ノズルの出し入れ動作に応じて回動して、開口部を開閉させる構造としている。
【０００９】
請求項２に記載の洋風便器装置では、開閉蓋が局部洗浄ユニットに設けたノズルガイド筒に軸支され、開口部に合致させて配設されていることを特徴としている。
【００１０】
請求項３に記載の洋風便器装置では、ボウル部はボウル本体とリム部とを備えており、開口部は該リム部側に開設されている。
【００１１】
請求項４に記載の洋風便器装置では、開閉蓋は、その閉状態ではボウル部の周壁の一部を形成する構造にしている。
【００１２】
請求項５に記載の洋風便器装置では、開閉蓋は開口部の上端縁に枢支した構造にしている。
【００１３】
請求項６に記載の洋風便器装置では、局部洗浄ユニットは、更に乾燥用送風筒を設け、その送風筒より、ボウル部の周壁に設けた送風口部を通してボウル部内空間に風を送り込む構造になっており、送風筒側、あるいはボウル部の周壁側に、送風によって回動して、送風口部を開閉させる開閉蓋を更に設けた構造にしている。
【００１４】
請求項７に記載の洋風便器装置では、送風口部用の開閉蓋は、送風口部の上端縁に枢支した構造にしている。
【発明の効果】
【００１５】
本発明は、開閉蓋をボウル部の周壁に形成した開口部に対応して設け、その開閉蓋が局部洗浄ノズルの出し入れ動作に応じて回動して、開口部を開閉させるようにしているため、ボウル部後方に配備した局部洗浄ユニットなどへ汚水やほこりなどが入り込むことを防止できる。また、開閉蓋は上端を枢支させているため、伸張するノズルの押圧動作により蓋が開き、ノズルを収納すれば蓋の重力により蓋が回動して閉じる、きわめて簡易な構造とすることができ、他の部品、部材を使用することなく安価に製造できる。
【００１６】
また、開閉蓋は、その閉状態ではボウル部の周壁の一部を形成するため、閉状態での見栄えがよい。
【００１７】
また、本発明によれば、送風によって回動する送風口部用の開閉蓋を更に設けているので、局部洗浄ノズル用の開閉蓋と同様、送風しないときに、ボウル部後方とボウル部内方とを、簡易な構造で見栄えよく遮断できる。
【発明を実施するための最良の形態】
【００１８】
以下に、本発明の実施の形態について、添付図面を参照しながら説明する。
【００１９】
図１は本発明の洋風便器装置の一例を示すもので、便蓋、便座を開いた状態を示す全体斜視図、図２は同装置の前方部（ボウル部やフロントスカート）を分離し背面より見た斜視図、図３はボウル部を背面より見た分解斜視図で、（ａ）がリム部、（ｂ）がボウル本体、図４は局部洗浄装置と乾燥装置とより構成される局部洗浄ユニットを少なくとも搭載した下ケースの斜視図である。
【００２０】
本洋風便器装置は、図１に示すように、便蓋４と、便座５と、ボウル部１と、左右、前後等に分離構成されたスカート部６と、下ケース８（図４参照）と、下ケース８を隠蔽し便蓋４、便座５の回動部（不図示）を有した上ケース７と、ボウル部１、スカート部６等を床面に固定させるための金属フレーム（不図示）とを備えている。
【００２１】
ボウル部１は、硬質のＡＢＳ、アクリルなどの合成樹脂などで製されたボウル本体２とリム部３とを溶着してなり、双方を溶着した状態で金属フレームに取り付け固定し、さらにボウル本体２を側面より隠蔽するように、左右のフロントスカート６ａ、６ａが取り付けられる。図２中の９は、フロントスカート６ａを金属フレームに固定するためのフレーム取付用のリブである。
【００２２】
図３に示すように、ボウル本体２は、開口周端縁部２ａと、洗浄水をボウル部１内に供給する給水口２ｂと、鉢部２ｃと、その底部に開設した排水口２ｄと、その排水口２ｄから連通形成された排水管２ｅとを備える。その排水管２ｅには、ターントラップ式などによるトラップ手段（不図示）に連通接続される。
【００２３】
一方、リム部３は、ボウル本体２の平面形状にそって通水路３ａを形成し、その通水路３ａを上方より覆うように形成したリム端縁部３ｂと、そのリム端縁部３ｂからボウル部１後方に向けて形成した傾斜部３ｃと、飛散防止壁３ｄとを備えている。これら傾斜部３ｃと飛散防止壁３ｄとによって、ボウル部１後方への汚水等の浸入を防止し、かつ便蓋４、便座５の各回動部を一体的に包み込んだ形状としている。また、この飛散防止壁３ｄには、人が便座５に腰掛けたことを検知する人体検知センサー１５を埋設している。
【００２４】
そして、ボウル本体２とリム部３とは、ボウル本体２の開口周端縁部２ａの上面側と、リム部３の端縁部３ｂの下面側とを溶着してボウル部１として一体化される。
【００２５】
また、リム部３は、リム端縁部３ｂよりボウル部１内方に周壁３ｅが折曲形成され、その周壁３ｅのボウル部１後端側には、図１に示すように、後述する局部洗浄ノズル２１の出入口、および乾燥装置３０からの乾燥風の送風口として、２つの開口部３ｆ、３ｇが開設されている。また図１に示すように、それぞれの開口部３ｆ、３ｇ（以下では送風用の開口部３ｇを送風口部３ｇともいう）には、上端を枢支された開閉蓋２５、３５が設けられているが、これらについては図４〜図６で後述する。
【００２６】
このように、開口部３ｆ、３ｇは、ボウル部１のより高い位置で、かつ床に対して略垂直に形成された周壁３ｅに設けられているため、下方を向いた開口にくらべて、ボウル部からの汚水が浸入しにくい構造となっている。
【００２７】
開口部３ｆ、送風口部３ｇの裏側つまりボウル部１の後方側には、開口端縁に連設された仕切り壁３ｈおよびリム後端基台部３ｉが形成されており、それらが、局部洗浄ノズル２１からの洗浄水や乾燥装置３０からの送風の、ボウル部１以外の空間への流出を防止する構造となっている。また、リム後端基台部３ｉは下ケース８の載置台を構成する。
【００２８】
このように、局部洗浄ノズル２１をボウル部１に設けた開口部３ｆより突出させる構造とすることで、局部洗浄ノズル２１と便器本体（ボウル部１やスカート部６）との一体感が生まれ、局部洗浄ノズルを一体的に設けた便座をボウル部１に載せ置くタイプのものより、局部洗浄ノズル２１を低い位置に配設することができ、全体として、よりコンパクトな形状にすることができる。
【００２９】
また、本実施例では、ボウル部１（リム部３）は、その後端で一体的に形成された傾斜部３ｃと飛散防止壁３ｄとによって、ボウル部１後方に配備する局部洗浄ノズル２１、便蓋４、便座５の各回動部などを覆い、かつボウル部１後方に配備する他の機器、部材とボウル部１とを遮断する構造としている。その結果、回動部付近の隙間が少なくなり、掃除をしやすくすることができる。
【００３０】
なお図１中、６ｂはボウル部１の後方を左右より覆うリアスカート、６ｃはリアスカート６ｂの上方でおもに操作ユニット１２を隠蔽するスイッチカバー、６ｄはスイッチカバー６ｃに設けた開閉可能なスイッチ操作蓋、４ａは便蓋４に設けた脚ゴム、５ａは便座５に設けた脚ゴムである。
【００３１】
図４に示すように、ボウル部１の後方側に配備された下ケース８は、後方壁８ａと、種々の収納部材に応じた外形、仕切り、段差を形成した収納ケース８ｂとよりなり、この収納ケース８ｂ上には、局部洗浄装置２０と乾燥装置３０とよりなる局部洗浄ユニット１０や、給水ユニット１３、脱臭装置１１、操作ユニット１２などが収納されている。
【００３２】
この下ケース８は、ボウル部１の背面側より、図２の矢印Ａの方向へ収容されてボウル部１等に合体され、その状態で下ケース８の上方および後方を上ケース７で隠蔽する構造となっている。
【００３３】
局部洗浄装置２０は、尻用ノズル、ビデ用ノズルなど複数の伸縮自在の局部洗浄ノズル２１、２１を有し、ノズル不使用時には、それらの局部洗浄ノズル２１を、ボウル部１内に向けて傾斜配備したノズルガイド筒２２に収納させる一方、ノズル使用時には局部洗浄ノズル２１をノズルガイド筒２２より伸張させてボウル部内空間Ｓに突出させる構造としている。
【００３４】
このノズルガイド筒２２は、その先端に、開口部３ｆを塞ぐために設けた開閉蓋２５を上端で軸支させており、局部洗浄ノズル２１の伸張時に、洗浄ノズル２１の押圧力でその開閉蓋２５を押し上げて、ボウル部１に設けた開口部３ｆを開く構造となっている。
【００３５】
また、乾燥装置３０は、ボウル部１内に向けて傾斜配備した乾燥用送風筒３１を有し、その送風筒３１は先端に上記開閉蓋３５を上端で軸支させており、局部洗浄後の乾燥時には、送風筒３１からの送風によって、開閉蓋３５を風圧でもって押し上げて、ボウル部１に設けた送風口部３ｇを開き、開口した送風口部３ｇを通じてボウル部内空間Ｓに送風する構成となっている。
【００３６】
次に、開閉蓋２５、３５の開閉動作について順次説明する。
【００３７】
図５は、開口部３ｆの開閉蓋２５の取付構造およびその開閉動作を示した動作説明図で、（ａ）は局部洗浄ノズル２１を収容した閉状態、（ｂ）は局部洗浄ノズル２１をボウル部内空間Ｓに突出させた開状態を模式的に示した部分縦断面図である。
【００３８】
開閉蓋２５は、蓋片２５ａと、蓋片２５ａの上端部より枝分かれ形成した回動片２５ｂと、その回動片２５ｂの他端で回動の軸になる回動支軸部２５ｃと、蓋片２５ａより延設された上端片２５ｄとを備え、回動支軸部２５ｃがノズルガイド筒２２のノズル出入口２２ｂ側の上端に形成された軸受部２２ａに嵌入されて、回動可能に軸支される。
【００３９】
開閉蓋２５に力が作用しない自然な状態では、蓋片２５ａは重力にしたがい床面に対して垂直に垂れ下がり、それによって開口部３ｆを塞いでいる。開口部３ｆを塞いだ状態では、開閉蓋２５のボウル部内空間Ｓ側の面は、リム部３の周壁３ｅの延長上にあり、周壁３ｅ面の一部を形成する。
【００４０】
また、開閉蓋２５が回動する際に上端片２５ｄが開口部３ｆの上端に接触しないように、上端片２５ｄはボウル部１後方側へ折曲形成されている。
【００４１】
開閉蓋２５の自由端側、つまり開口部３ｆの下端側には、ボウル部１の鉢部２ｃに溶着されたリム後端基台部３ｉが配備されており、リム後端基台部３ｉの後方側で突出形成された基台片３ｊでもって下ケース８の脚部８ｃを支持する構造となっている。また、リム後端基台部３ｉおよび下ケース８は、それぞれの上面がボウル部内空間Ｓに向けてやや傾斜して形成されており、さらにリム後端基台部３ｉと下ケース８との間にはパッキンＰを介在させているため、たとえリム後端基台部３ｉおよび下ケース８の上にノズル２１からの水が下ケースやリム後端基台部３ｉに垂れ落ちても、ボウル部１後方に浸入することがほとんどない。なお、３ｋは下ケース位置決め片を示している。
【００４２】
図５（ａ）のように開閉蓋２５が閉状態にあるときに局部洗浄操作がされると、図５（ｂ）に示すように、局部洗浄ノズル２１が伸張し、ノズル先端の封止蓋２１ｂが開閉蓋２５を押し上げて開口部３ｆを開き、噴出口２１ａより局部洗浄水を噴出する。
【００４３】
このように、開口部３ｆに合致させて開閉蓋２５を設けているので、局部洗浄ノズル２１を使用するときのみ、開口部３ｆを開き、不要なときには開口部３ｆを閉じてボウル部１の内方と後方とを遮断できる。また、開閉蓋２５は上端が枢支されているため、洗浄ノズル２１を収縮してノズルガイド筒２２に収納させるだけで、開閉蓋２５は重力で垂直な状態に回動し、開口部３ｆを閉じることができる。
【００４４】
また、開閉蓋２５は開口部３ｆの形状に合致させて形成され、配設されているため、開閉蓋２５が閉状態にあるときには、開閉蓋２５を周壁３ｅの一部として、内壁面が略面一になるように形成でき、ボウル部１側からの見栄えをよくすることができる。
【００４５】
図６は送風口部３ｇと開閉蓋３５の取付構造および開閉動作を示す動作説明図で、（ａ）は乾燥停止中の閉状態、（ｂ）は乾燥作動中の開状態を模式的に示した部分縦断面図である。
【００４６】
開閉蓋３５は、蓋片３５ａと、蓋片３５ａの上端部より枝分かれ形成した回動片３５ｂと、その回動片３５ｂの他端で回動の軸になる回動支軸部３５ｃと、蓋片３５ａより延設形成された上端片３５ｄとを備え、回動支軸部３５ｃが乾燥用送風筒３１の送出口３１ｂ側の上端に形成された軸受部３１ａに嵌入されて、回動可能に軸支される。
【００４７】
開閉蓋３５に力が作用しない自然な状態では、蓋片３５ａが床面に対して略垂直に垂れ下がり、送風口部３ｇを塞いでいる。送風口部３ｇを塞いだ状態では、蓋片３５ａのボウル部内空間Ｓ側の面はリム部３の周壁３ｅの延長上にあり、周壁３ｅの一部を形成する。
【００４８】
また、開閉蓋３５の回動時に上端が開口部３ｇの上端に接触しないように、上端片３５ｄはボウル部１後方側へ折曲形成されている。
【００４９】
開閉蓋３５の自由端側、つまり送風口部３ｇの下端側には、リム後端基台部３ｉが配備されているが、このリム後端基台部３ｉは、図２に示すように、リム部３の一部として形成された、図５で説明したリム後端基台部３ｉと同一のものであるため、その構造、作用、機能については説明を割愛する。
【００５０】
図６（ａ）のように開閉蓋３５が閉状態にあるときに局部洗浄後の乾燥操作がされると、図６（ｂ）に示すように、乾燥用送風筒３１の送出口３１ｂからの乾燥風の風圧によって開閉蓋３５の自由端側がボウル部内空間Ｓ側に浮き上がり、送風口部３ｇを開き、ボウル部内空間Ｓへ乾燥風が噴出される。
【００５１】
このように、送風口部３ｇには開閉蓋３５を設けているので、局部乾燥をするときのみ送風口部３ｇを開き、不要なときには送風口部３ｇを閉じてボウル部１の内方と後方とを遮断できる。また、開閉蓋３５は上端が枢支されているため、送風を停止するだけで、開閉蓋３５は重力にしたがい垂直な状態に回動し、送風口部３ｇを閉じることができる。
【００５２】
また、開閉蓋３５は送風口部３ｇの形状に合致させて形成され、配設されているため、開閉蓋３５が閉状態にあるときには、開閉蓋３５を周壁３ｅの一部として、内壁面が略面一になるように形成でき、ボウル部１側からの見栄えをよくすることができる。
【００５３】
ついで、開口部３ｆ、送風口部３ｇの開閉蓋の上端枢支の他例について説明する。本例では、それぞれの開閉蓋は、ノズルガイド筒２２、乾燥用送風筒３１側ではなく、ボウル部１（リム部３）側に枢支される。
【００５４】
図７は、開閉蓋の枢支形態の他例を示す説明図で、（ａ）は開口部３ｆ、３ｇと開閉蓋とが分離された状態、（ｂ）は開閉蓋を開口部３ｆ、３ｇに軸支させた状態を示す図である。
【００５５】
開口部３ｆの左右上端には支軸用のヒンジピン３ｐ、３ｐを形成しており、そのヒンジピン３ｐ、３ｐに、開閉蓋２５Ａの左右上端に形成した軸受凹部２５ｇ、２５ｇを枢着させて、局部洗浄ノズル２１の未使用時に開閉蓋２５Ａを垂下できるような構造としている。
【００５６】
送風口部３ｇについても同様に、送風口部３ｇの左右上端に支軸用のヒンジピン３ｑ、３ｑに、開閉蓋３５Ａの左右上端に形成した軸受凹部３５ｇ、３５ｇを枢着させて、送風しないときに開閉蓋２５Ａを垂下できるような構造としている。
【００５７】
このように、本例では開閉蓋２５Ａ、３５Ａを周壁３ｅ側に上端を軸支しているので、開閉蓋２５Ａ、３５Ａの取替え作業が、ボウル部内空間側よりきわめて簡易に行える。
【００５８】
なお、図７のものとは逆に、ヒンジピンを開閉蓋２５Ａ、３５Ａに設け、軸受凹部を開口部３ｆ、３ｇに設けてもよい。また、このような枢着によらず、蝶番によって開閉蓋２５Ａ、３５Ａを軸支させてもよい。
【図面の簡単な説明】
【００５９】
【図１】本発明の洋風便器装置の一例を示す全体斜視図である。
【図２】同装置の前方部（ボウル部など）を分離し背面より見た斜視図である。
【図３】同装置のボウル部の分解斜視図である。
【図４】局部洗浄装置、乾燥装置を設けた局部洗浄ユニットの斜視図である。
【図５】開口部用の開閉蓋の開閉動作を示す動作説明図で、（ａ）は局部洗浄ノズルを収容した閉状態、（ｂ）は局部洗浄ノズルを突出させた開状態を示す図である。
【図６】送風口部用の開閉蓋の動作を示す動作説明図で、（ａ）は乾燥停止中、（ｂ）は乾燥作動中の状態を示す図である。
【図７】開閉蓋の枢支形態の他例を示す説明図で、（ａ）は開口部と開閉蓋とが分離された状態、（ｂ）は開閉蓋を開口部に軸支した状態を示す図である。
【図８】従来の洋風便器装置の局部洗浄ノズルの出し入れ構造を示した縦断面図である。
【符号の説明】
【００６０】
１      ボウル部
２      ボウル本体
３      リム部
３ｆ      開口部
３ｇ      送風口部
３ｈ      仕切り壁
３ｉ      リム後端基台部
４      便蓋
５      便座
６      スカート部
７      上ケース
８      下ケース
１０      局部洗浄ユニット
２０      局部洗浄装置
２１      局部洗浄ノズル
２２      ノズルガイド筒
２５      開閉蓋
２５ａ      蓋片
２５ｂ      回動片
２５ｃ      支軸部
２５ｄ      上端片
３０      乾燥装置
３１      乾燥用送風筒
３５      開閉蓋
３５ａ      蓋片
３５ｂ      回動片
３５ｃ      支軸部
３５ｄ      上端片
２５Ａ      開閉蓋
３５Ａ      開閉蓋
【図１】
2008095460.tif 000003
【図２】
2008095460.tif 000004
【図３】
2008095460.tif 000005
【図４】
2008095460.tif 000006
【図５】
2008095460.tif 000007
【図６】
2008095460.tif 000008
【図７】
2008095460.tif 000009
【図８】
2008095460.tif 000010